(57)【特許請求の範囲】
【請求項１】
一般式（１）
Ｒ１−Ｏ−（ＥＯ）ａ−Ｒ２              （１）
［式中、Ｒ１、Ｒ２は同一又は異なって、炭素数１２〜２８のアルキル基又はアルケニル基を示す。ＥＯはオキシエチレン基を表し、ａはエチレンオキシドの平均付加モル数であり、５０〜１００を示す。］で表されるポリエーテル型増粘剤の１種又は２種以上０．１〜１０重量％、及び界面活性剤の１種又は２種以上１〜５０重量％（但し、陰イオン界面活性剤を使用する際の陰イオン界面活性剤の含有量は１〜３０重量％の範囲である。）を含有する洗浄剤組成物。
【請求項２】
界面活性剤の１種又は２種以上が、非イオン界面活性剤、両性界面活性剤、陰イオン界面活性剤の群から選ばれる１種又は２種以上である、請求項１に記載の洗浄剤組成物。
【請求項３】
界面活性剤が、両性界面活性剤及び陰イオン界面活性剤の両方からなり、更に両性界面活性剤と陰イオン界面活性剤の混合比が重量比で両性界面活性剤／陰イオン界面活性剤＝６／４〜１／９である、請求項２に記載の洗浄剤組成物。
【請求項４】
非イオン界面活性剤が、ポリオキシエチレン（平均付加モル数６〜３０）アルキル（又はアルケニル）（炭素数１０〜３６）エーテル、ポリオキシエチレン（平均付加モル数６〜３０）ポリオキシプロピレン（平均付加モル数０．５〜１０）アルキル（又はアルケニル）（炭素数１０〜３６）エーテルの群から選ばれる１種又は２種以上である、請求項２に記載の洗浄剤組成物。
【請求項５】
両性界面活性剤が、アルキル（炭素数８〜１８）ジメチルアミノ酢酸ベタイン、脂肪酸（炭素数８〜１８）アミドプロピルベタイン、アルキル（炭素数７〜１７）イミダゾリニウムベタイン、アルキル（炭素数８〜１８）アミノジ酢酸塩、アルキル（炭素数８〜１８）アミノジ（又はモノ）プロピオン酸塩の群から選ばれる１種又は２種以上である、請求項２に記載の洗浄剤組成物。
【請求項６】
陰イオン界面活性剤が、オキシエチレン基を有する陰イオン界面活性剤、アミノ酸系陰イオン界面活性剤、脂肪酸（炭素数８〜１８）塩の群から選ばれる１種又は２種以上である、請求項２に記載の洗浄剤組成物。
【請求項７】
オキシエチレン基を有する陰イオン界面活性剤が、ポリオキシエチレン（平均付加モル数１〜４）アルキル（又はアルケニル）（炭素数１２〜１８）エーテル硫酸塩、ポリオキシエチレン（平均付加モル数１〜５）スルホコハク酸モノアルキル（炭素数１２〜１８）エステル塩、ポリオキシエチレン（平均付加モル数１〜５）アルキル（又はアルケニル）（炭素数８〜１８）エーテル酢酸塩、ポリオキシエチレン（平均付加モル数１〜５）脂肪酸（炭素数８〜１８）モノエタノールアミドエーテル硫酸塩、ポリオキシエチレン（平均付加モル数１〜５）脂肪酸（炭素数８〜１８）モノエタノールアミドエーテル酢酸塩の群から選ばれる１種又は２種以上である、請求項６に記載の洗浄剤組成物。
【請求項８】
アミノ酸系陰イオン界面活性剤が、脂肪族アシル（炭素数８〜１８）サルコシン塩、脂肪族アシル（炭素数８〜１８）−β−アラニン塩、脂肪族アシル（炭素数８〜１８）−Ｎ−メチル−β−アラニン塩、脂肪族アシル（炭素数８〜１８）−Ｌ−グルタミン酸モノ塩、脂肪族アシル（炭素数８〜１８）−Ｌ−アスパラギン酸モノ塩の群から選ばれる１種又は２種以上である、請求項６に記載の洗浄剤組成物。
【請求項９】
更に、一般式（２）
Ｒ３−Ｏ−（ＥＯ）ｂ−Ｈ                （２）
［式中、Ｒ３は炭素数８〜１４のアルキル基を表す。ＥＯはオキシエチレン基を表し、ｂはエチレンオキシドの平均付加モル数であり、０．５〜５を示す。］で表されるポリオキシエチレンアルキルエーテルの１種又は２種以上を０．１〜５重量％含有する、請求項１〜８のいずれかの請求項に記載の洗浄剤組成物。
【請求項１０】
更に、一般式（３）
0003924971.tif 000011
［式中、Ｒ４は炭素数７〜１７のアルキル基又はアルケニル基を示す。］で表される脂肪酸ジエタノールアミドの１種又は２種以上を０．１〜１０重量％含有する、請求項１〜９のいずれかの請求項に記載の洗浄剤組成物。
【請求項１１】
一般式（１）で表されるポリエーテル型増粘剤と一般式（２）で表されるポリオキシエチレンアルキルエーテル及び／又は一般式（３）で表される脂肪酸ジエタノールアミドとを予備混合したものを、請求項１に記載の界面活性剤を含有する水溶液に加える、請求項９又は請求項１０に記載の洗浄剤組成物の製造方法。
【発明の詳細な説明】
【０００１】
【発明の属する技術分野】
本発明は、洗浄剤組成物に関し、詳しくは、必要な稠度を有する液体洗浄剤組成物及びその製造方法に関する。
【０００２】
【従来の技術】
洗浄剤組成物は、消費者の使い易さを考慮し、また、不溶性固形物を含有する場合には組成物の分散安定性を考慮した上で、系を適度に増粘させる必要性が生じる場合がある。
【０００３】
従来の増粘法としては、異種の界面活性剤（例えば両性界面活性剤と陰イオン界面活性剤）を混合して錯体を形成させることにより粘度を出す方法、及び増粘剤を使用する方法の２点が挙げられる。
【０００４】
このうち前者では、界面活性剤含有量が高くなる傾向があり、又、主剤とする界面活性剤の種類によっては、非常に増粘させ難い洗浄剤組成物もある。このような例として、ポリオキシエチレンスルホコハク酸ラウリル二ナトリウム、ココイル−Ｌ−グルタミン酸モノトリエタノールアミン、ポリオキシエチレンラウリルエーテル酢酸ナトリウム等を主剤とする洗浄剤組成物が挙げられる。これらの難増粘性の界面活性剤及びそれらの配合物には一般に低刺激性とされるものが多く、様々な用途への使用が期待されるが、他の界面活性剤と組み合わせても望ましい粘度が出にくい場合が多い。
【０００５】
一方、増粘剤を使用する方法では、得られる効果は増粘剤の性能次第であるが、比較的低濃度で粘稠な洗浄剤組成物を得ることができる。
【０００６】
洗浄剤組成物に使用する増粘剤に要求される重要な性質は、用途により異なるが、一般に、添加により起泡性、使用感、低温安定性、洗浄性といった粘度以外の性能に悪影響を及ぼさないこと、低刺激性であること、少量添加で効果が得られること、物理化学的に安定であること、安価であること等である。
【０００７】
従来より知られる増粘剤としては、ヒドロキシメチルセルロース、ヒドロキシエチルセルロース、カルボキシメチルセルロース、カチオン化セルロース、ポリビニルアルコール、ポリアクリル酸ナトリウム、澱粉、キサンタンガム等の高分子系増粘剤、低ＨＬＢのポリオキシエチレンアルキルエーテル、ヤシ油脂肪酸ジエタノールアミド、ポリエチレングリコールジステアリン酸エステル、複数の疎水基を有するポリエーテル型の増粘剤等のノニオン界面活性剤型増粘剤がある。又、塩化ナトリウム、硫酸ナトリウム等の無機塩類も主剤とする界面活性剤の種類によっては優れた増粘効果を示す。
【０００８】
しかし、高分子系増粘剤は一般的に、電解質の存在で増粘効果が損なわれる、曳糸性がでる、組成によっては均一に溶解しない場合がある、経時的に粘度が変化する、高価である等の欠点を有することが多い。又、低ＨＬＢのポリオキシエチレンアルキルエーテルは多量に添加した場合低温安定性が損なわれる、脂肪酸ジエタノールアミドは多量に添加しないと増粘しない、多量に添加するとぬるつきが出る、ニトロソアミンの問題がある、ポリエチレングリコールジステアリン酸エステルは加水分解の問題がある、無機塩は増粘効果を示す界面活性剤が限られている、多量に添加すると低温安定性が損なわれる、等の欠点がそれぞれの増粘剤にある。
【０００９】
一方、複数の疎水基を有するポリエーテル型の増粘剤にはこれらの問題が少なく、汎用的な増粘剤としての使用が期待でき、特開平１−１３８２９７、特公平１−４９３１１にも界面活性剤水溶液に対する有用性が示されている。しかし、増粘効果は未だ不十分であり、高分子系増粘剤と比較すると、増粘剤の添加量が多くなる傾向にある。
【００１０】
以上の理由により、洗浄剤組成物に適度な粘性を付与するには、界面活性剤濃度を高める、増粘が容易な界面活性剤を選択する、増粘剤を多量に添加する等、配合上の制約が多く、又、洗浄剤組成物の粘性を重視するあまりに、起泡性、使用感、低温安定性、洗浄性等の他の性能が犠牲になる場合もあった。
【００１１】
又、特開平１０−２５９１１２には、一般式Ｒ１−（ＯＣＨ２ＣＨ２）ｎ−ＯＲ２［式中Ｒ１及びＲ２は炭素数５〜２４のアルキル基、ｎは１〜９の数を示す。］で表わされる化合物を油性基剤として化粧料組成物に配合することが記載されているが、低粘度の組成物を得ることを目的としており、増粘効果については開示されていない。
【００１２】
このような背景から、少量添加で良好な増粘効果を示し、且つ物理化学的にも安定な増粘剤を含有する洗浄剤組成物の開発が熱望された。
【００１３】
【発明が解決しようとする課題】
本発明は、増粘効果が高く、物理化学的にも安定な増粘剤を含有する洗浄剤組成物及びその製造方法を提供することを目的とする。
【００１４】
【課題を解決するための手段】
本発明者らは、このような事情に鑑み、鋭意研究の結果、ポリエーテル型増粘剤のうち、特定のアルキル（又はアルケニル）鎖長及び特定のエチレンオキシド付加モル数を有するものが、界面活性剤水溶液に対する高い増粘効果をもち、物理化学的にも安定であり、これを含有することにより、洗浄剤組成物の粘度を有効に上げることができることを見いだし、かかる知見に基づいて本発明を完成するに至った。
【００１５】
即ち、本発明の洗浄剤組成物は、一般式（１）
Ｒ１−Ｏ−（ＥＯ）ａ−Ｒ２              （１）
［式中、Ｒ１、Ｒ２は同一又は異なって、炭素数１２〜２８のアルキル基又はアルケニル基を示す。ＥＯはオキシエチレン基を表し、ａはエチレンオキシドの平均付加モル数であり、５０〜１００を示す。］
で表されるポリエーテル型増粘剤の１種又は２種以上（以下「成分（Ａ）」という）０．１〜１０重量％、及び界面活性剤の１種又は２種以上（以下「成分（Ｂ）」という）１〜５０重量％を含有することを特徴とする。
【００１６】
更に効果を高めるために、任意成分として、一般式（２）
Ｒ３−Ｏ−（ＥＯ）ｂ−Ｈ                （２）
［式中、Ｒ３は炭素数８〜１４のアルキル基を表す。ＥＯはオキシエチレン基を表し、ｂはエチレンオキシドの平均付加モル数であり、０．５〜５を示す。］
で表されるポリオキシエチレンアルキルエーテル（以下「成分（Ｃ）」という）、及び／又は一般式（３）
0003924971.tif 000002
［式中、Ｒ４は炭素数７〜１７のアルキル基又はアルケニル基を示す。］
で表される脂肪酸ジエタノールアミド（以下「成分（Ｄ）」という）を、夫々単独で又は２種以上を適宜組み合わせて含有してもよい。
【００１７】
又、本発明は、成分（Ａ）と成分（Ｃ）及び／又は成分（Ｄ）の少なくとも１種とを予備混合したものを、成分（Ｂ）を含有する水溶液に加えることを特徴とする洗浄剤組成物の製造方法を提供する。
【００１８】
【発明の実施形態】
本発明に係る一般式（１）で表されるポリエーテル型増粘剤［成分（Ａ）］は、洗浄剤組成物の増粘剤として配合される。
【００１９】
成分（Ａ）は、エチレンオキシドを付加した脂肪族アルコールの脱水二量化による合成、エチレンオキシドを付加した脂肪族アルコールと有機ハロゲン化物からの合成、ポリエチレングリコールと有機ハロゲン化物からの合成等により調製されるが、製造法はこれに限定されるものではない。
【００２０】
成分（Ａ）の一般式（１）において、Ｒ１、Ｒ２で表されるアルキル基又はアルケニル基の炭素数は夫々１２〜２８であり、より好ましくはＲ１とＲ２の炭素数の和が２８〜４４である。Ｒ１又はＲ２の炭素数が１２未満では、良好な増粘効果が得られず、２８を超える場合では、原料の入手が事実上困難である。
【００２１】
Ｒ１及びＲ２は直鎖であっても分枝鎖であっても良く、又、Ｒ１とＲ２は同一であっても異なっていても良い。
【００２２】
Ｒ１又はＲ２で表される基として、具体的には、ラウリル基、トリデシル基、ミリスチル基、セチル基、ステアリル基、アラキル基、ベヘニル基、オレイル基、イソステアリル基、２−ヘキシルデシル基、２−オクチルドデシル基、２−デシルテトラデシル基、パラフィン酸化法によって得られる２級アルコール類由来のアルキル基、オキソ法によって得られる合成アルコール由来のアルキル基及びその二量化アルコール類由来のアルキル基等が例示される。
【００２３】
ＥＯで表されるオキシエチレン基のエチレンオキシドの平均付加モル数（ａ）は５０〜１００であり、より好ましくは６０〜８０である。５０未満では満足な増粘効果が得られず、１００を超える場合には不純物の含量が高くなり好ましくない。尚、エチレンオキシドの付加分布は、広いものであっても、狭分布であっても良い。
【００２４】
成分（Ａ）は、エステル結合を持たないことから、加水分解の問題がなく物理化学的に安定である。
【００２５】
成分（Ａ）としては、ポリオキシエチレン（ａ＝５０〜１００）ミリスチル−ラウリルジエーテル、ポリオキシエチレン（ａ＝５０〜１００）ジセチルエーテル、ポリオキシエチレン（ａ＝５０〜１００）ステアリル−ラウリルジエーテル、ポリオキシエチレン（ａ＝５０〜１００）ステアリル−セチルジエーテル、ポリオキシエチレン（ａ＝５０〜１００）ジステアリルエーテル、ポリオキシエチレン（ａ＝５０〜１００）オレイル−セチルジエーテル、ポリオキシエチレン（ａ＝５０〜１００）ベヘニル−ステアリルジエーテル、ポリオキシエチレン（ａ＝５０〜１００）オクチルドデシル−セチルジエーテル等が例示される。中でも増粘効果、製造面の観点から、特にポリオキシエチレン（ａ＝６０〜８０）ステアリル−セチルジエーテル等が推奨される。
【００２６】
成分（Ａ）には、製法により、原料由来のポリオキシエチレンアルキルエーテル、ポリエチレングリコール、アルキルハライド、アルキルハライド由来の脂肪族アルコール及びα−オレフィン等の未反応物及び副生物を若干含むことがあるが、本発明の所定の効果を奏する限り、差し支えない。
【００２７】
成分（Ａ）は本発明の洗浄剤組成物に０．１〜１０重量％配合され、より好ましくは０．１〜３重量％配合される。かかる配合量を選択することにより、適度な粘性を有し、且つ物理化学的にも安定な洗浄剤組成物が得られる。即ち、配合量が０．１重量％未満では満足できる増粘効果が得られず、１０重量％を超える場合には、粘度が高くなりすぎゲル化したり、低温安定性が損なわれる。
【００２８】
本発明に係る界面活性剤［成分（Ｂ）］は、洗浄剤組成物の洗浄成分又は起泡剤として配合されるもので、非イオン界面活性剤（以下「成分（ｂ−１）」という）、両性界面活性剤（以下「成分（ｂ−２）」という）、陰イオン界面活性剤（以下「成分（ｂ−３）」という）、陽イオン界面活性剤（以下「成分（ｂ−４」という）が例示される。
【００２９】
成分（Ｂ）は本発明の洗浄剤組成物に１〜５０重量％配合される。配合量が１重量％未満では添加により得ようとする洗浄性、起泡性等の性能が得られず、５０重量％を超える場合には組成物がゲル化する等して安定な処方物が得られない。
【００３０】
成分（Ｂ）の中でも、洗浄性の点で成分（ｂ−１）、成分（ｂ−３）が推奨される。又、成分（ｂ−３）を使用する場合には、刺激性の緩和、泡の安定性、効率よく増粘できる等の点で成分（ｂ−２）との併用が推奨される。
【００３１】
成分（ｂ−１）は非イオン界面活性剤であり、具体的には、ポリオキシエチレンアルキルエーテル、ポリオキシエチレンポリオキシプロピレンアルキルエーテル、アルキルポリグルコシド、ポリオキシエチレン脂肪酸エステル、ポリオキシエチレンポリオキシプロピレングリコール、アルキルジメチルアミンオキシド等が例示される。
【００３２】
成分（ｂ−１）の中でも、加水分解の問題がなく物理化学的に安定であり、且つ良好な洗浄力が得られる点で、ポリオキシエチレン（平均付加モル数６〜３０）アルキル（又はアルケニル）（炭素数１０〜３６）エーテル、ポリオキシエチレン（平均付加モル数６〜３０）ポリオキシプロピレン（平均付加モル数０．５〜１０）アルキル（又はアルケニル）（炭素数１０〜３６）エーテルが推奨される。
【００３３】
成分（ｂ−１）は、本発明の洗浄剤組成物中に１〜３０重量％含有することが好ましい。
【００３４】
成分（ｂ−２）は両性界面活性剤であり、具体的には、アルキル（炭素数８〜１８）ジメチルアミノ酢酸ベタイン、脂肪酸（炭素数８〜１８）アミドプロピルベタイン、アルキル（炭素数７〜１７）イミダゾリニウムベタイン、アルキル（炭素数８〜１８）アミノジ酢酸塩、アルキル（炭素数８〜１８）アミノジ（又はモノ）プロピオン酸塩等が例示される。
【００３５】
成分（ｂ−２）は、本発明の洗浄剤組成物中に１〜１０重量％含有することが好ましい。
【００３６】
成分（ｂ−３）は陰イオン界面活性剤であり、具体的には、アルキル硫酸塩、ポリオキシエチレンアルキルエーテル硫酸塩、ポリオキシエチレン脂肪酸モノエタノールアミドエーテル硫酸塩、ポリオキシエチレンアルキルエーテル酢酸塩、脂肪酸塩、ポリオキシエチレンスルホコハク酸モノアルキルエステル塩、α−オレフィンスルホン酸塩、アルキルベンゼンスルホン酸塩、脂肪族アシルサルコシン塩、脂肪族アシル−β−アラニン塩、脂肪族アシル−Ｎ−メチル−β−アラニン塩、脂肪族アシル−Ｌ−グルタミン酸塩、脂肪族アシル−Ｌ−アスパラギン酸塩、ポリオキシエチレン脂肪酸モノエタノールアミドエーテル酢酸塩等が例示される。これらの対イオンとして、具体的には、ナトリウム、カリウム、マグネシウム、トリエタノールアミン、アンモニウム等が例示される。
【００３７】
成分（ｂ−３）の中でも、少ない界面活性剤使用量で粘度の高い組成物を得る目的においては、オキシエチレン基を有する陰イオン界面活性剤が推奨される。
【００３８】
本発明に係るオキシエチレン基を有する陰イオン界面活性剤として、具体的には、ポリオキシエチレン（平均付加モル数１〜４）アルキル（又はアルケニル）（炭素数１２〜１８）エーテル硫酸塩、ポリオキシエチレン（平均付加モル数１〜５）スルホコハク酸モノアルキル（炭素数１２〜１８）エステル塩、ポリオキシエチレン（平均付加モル数１〜５）アルキル（又はアルケニル）（炭素数８〜１８）エーテル酢酸塩、ポリオキシエチレン（平均付加モル数１〜５）脂肪酸（炭素数８〜１８）モノエタノールアミドエーテル硫酸塩、ポリオキシエチレン（平均付加モル数１〜５）脂肪酸（炭素数８〜１８）モノエタノールアミドエーテル酢酸塩が例示できる。中でも、汎用的な原料であり且つ高粘度の組成物が得られる点で、ポリオキシエチレン（平均付加モル数２〜３）ラウリルエーテル硫酸ナトリウム、ポリオキシエチレン（平均付加モル数２〜３）ラウリルエーテル硫酸アンモニウム、ポリオキシエチレン（平均付加モル数２〜３）ラウリルエーテル硫酸トリエタノールアミン、ポリオキシエチレン（平均付加モル数１〜３）スルホコハク酸ラウリル二ナトリウム、ポリオキシエチレン（平均付加モル数１〜５）ラウリルエーテル酢酸ナトリウム、ポリオキシエチレン（平均付加モル数１〜５）ヤシ油脂肪酸モノエタノールアミドエーテル硫酸ナトリウムが推奨される。
【００３９】
又、成分（ｂ−３）の中でも、アミノ酸系陰イオン界面活性剤及び脂肪酸塩は一般的に難増粘性とされているが、刺激性の面を考慮した場合にはアミノ酸系陰イオン界面活性剤が、又、皮膚洗浄料に使用する場合には脂肪酸塩がそれぞれ推奨される。
【００４０】
本発明に係るアミノ酸系陰イオン界面活性剤として、具体的には、脂肪族アシル（炭素数８〜１８）サルコシン塩、脂肪族アシル（炭素数８〜１８）−β−アラニン塩、脂肪族アシル（炭素数８〜１８）−Ｎ−メチル−β−アラニン塩、脂肪族アシル（炭素数８〜１８）−Ｌ−グルタミン酸モノ塩、脂肪族アシル（炭素数８〜１８）−Ｌ−アスパラギン酸モノ塩が推奨される。中でも、汎用的な原料であり且つ高粘度の組成物が得られる点で、ココイル−Ｎ−メチル−β−アラニンナトリウム、ココイル−Ｎ−メチル−β−アラニントリエタノールアミン、ラウロイル−Ｎ−メチル−β−アラニンナトリウム、ラウロイル−Ｎ−メチル−β−アラニントリエタノールアミン、ココイル−Ｌ−グルタミン酸モノトリエタノールアミン、ココイル−Ｌ−グルタミン酸モノナトリウム、ココイル−Ｌ−グルタミン酸モノカリウム、ラウロイル−Ｌ−グルタミン酸モノトリエタノールアミン、ラウロイル−Ｌ−グルタミン酸モノナトリウム、ラウロイル−Ｌ−グルタミン酸モノカリウム、ココイルサルコシントリエタノールアミン、ココイルサルコシンナトリウム、ラウロイルサルコシントリエタノールアミン、ラウロイルサルコシンナトリウムが推奨される。
【００４１】
本発明に係る脂肪酸塩として、具体的には、脂肪酸（炭素数８〜１８）カリウム、脂肪酸（炭素数８〜１８）トリエタノールアミンが例示できる。
【００４２】
成分（ｂ−３）は、本発明の洗浄剤組成物中に１〜３０重量％含有することが好ましい。
【００４３】
本発明に係る洗浄剤組成物の界面活性剤として成分（ｂ−３）を使用する場合は、刺激性の緩和、泡の安定性、効率よく増粘できる等の点で、成分（ｂ−２）との併用が推奨される。成分（ｂ−３）の中でも難増粘性であるアミノ酸系陰イオン界面活性剤や脂肪酸塩を使用する場合でも、成分（ｂ−２）と併用することにより容易に増粘させることができる。この時の成分（ｂ−２）と成分（ｂ−３）の含有比は、重量比で成分（ｂ−２）／成分（ｂ−３）＝６／４〜１／９の範囲が推奨される。
【００４４】
成分（ｂ−４）は陽イオン界面活性剤であり、具体的には、塩化アルキルトリメチルアンモニウム、塩化ジアルキルジメチルアンモニウム、塩化アルキルジメチルベンジルアンモニウム等が例示される。
【００４５】
成分（ｂ−４）は、本発明の洗浄剤組成物中に１〜２０重量％含有することが好ましい。
【００４６】
本発明に係る洗浄剤組成物は、更に粘稠な組成物を得る為に、或いは、成分（Ａ）の添加効果を最大限に発揮させる、即ち少量で効果を得る為に、又、成分（Ａ）の組成物への溶解性を改善する為に、成分（Ｃ）、（Ｄ）よりなる群から選ばれる１種又は２種以上の成分を組み合わせて使用することができる。
【００４７】
本発明に係る一般式（２）
Ｒ３−Ｏ−（ＥＯ）ｂ−Ｈ                （２）
［式中、Ｒ３は炭素数８〜１４のアルキル基を表す。ＥＯはオキシエチレン基を表し、ｂはエチレンオキシドの平均付加モル数であり、０．５〜５を示す。］
で表されるポリオキシエチレンアルキルエーテル［成分（Ｃ）］は、洗浄剤組成物の粘度を更に高めるか又は微調整する為、及び成分（Ａ）の溶解性を改善する為に配合される。尚、成分（Ｃ）は、成分（ｂ−１）として例示したポリオキシエチレン（平均付加モル数６〜３０）アルキル（炭素数１０〜３６）エーテルと同骨格の化合物であるが、エチレンオキシドの平均付加モル数が異なっており、成分（ｂ−１）として例示した化合物が水に可溶で洗浄剤成分として使用されるのに対し、成分（Ｃ）は水に不溶で増粘効果を与える目的で使用されるものである。
【００４８】
成分（Ｃ）の一般式（２）において、Ｒ３で表されるアルキル基の炭素数は８〜１４であり、より好ましくは１０〜１２である。この範囲以外では良好な増粘効果が得られない。ＥＯで表されるオキシエチレン基のエチレンオキシドの平均付加モル数（ｂ）は０．５〜５であり、より好ましくは０．５〜３である。０．５モル未満では組成物の低温安定性及び無臭性が損なわれ、５モルを超える場合には満足できる増粘効果が得られない。エチレンオキシドの付加分布は塩基触媒による広いものでも、酸触媒による狭分布のものでも良いが、より効果的に粘度を高めたり、臭気問題を排除するには狭分布の方が好ましい。
【００４９】
成分（Ｃ）として、具体的にはポリオキシエチレン（ｂ＝０.５〜２）オクチルエーテル、ポリオキシエチレン（ｂ＝１〜３）デシルエーテル、ポリオキシエチレン（ｂ＝１〜４）ラウリルエーテル、ポリオキシエチレン（ｂ＝２〜４）ミリスチルエーテル等が例示でき、中でも、ポリオキシエチレン（ｂ＝１〜２）デシルエーテル、ポリオキシエチレン（ｂ＝１．５〜２）ラウリルエーテルが推奨される。
【００５０】
成分（Ｃ）は、本洗浄剤組成物中に０．１〜５重量％配合され、より好ましくは０．１〜３重量％である。０．１重量％未満では成分（Ｃ）による増粘効果が認められず、５重量％を超える場合には、組成物のぬるつき、起泡性の低下、低温安定性の悪化等の悪影響が生じる。又、成分（Ａ）の溶解性を高める目的で使用する場合は、成分（Ａ）／成分（Ｃ）の重量比が０．５〜２となるよう成分（Ｃ）を配合するのが好ましい。
【００５１】
本発明に係る一般式（３）
0003924971.tif 000003
［式中、Ｒ４は炭素数７〜１７のアルキル基又はアルケニル基を示す。］
で表される脂肪酸ジエタノールアミド［成分（Ｄ）］は、洗浄剤組成物の粘度を更に高めるか又は微調整するため、及び成分（Ａ）の溶解性を改善するために配合される。このものには、洗浄剤組成物の泡立ちを増し、又生じた泡の安定性を改善する作用もある。
【００５２】
成分（Ｄ）の一般式（３）において、Ｒ４で表されるアルキル基又はアルケニル基の炭素数は７〜１７である。７未満では良好な増粘効果が得られず、１７を超える場合には組成物の低温安定性が損なわれる。
【００５３】
成分（Ｄ）として、具体的には、カプリル酸ジエタノールアミド、カプリン酸ジエタノールアミド、ラウリン酸ジエタノールアミド、ミリスチン酸ジエタノールアミド、パルミチン酸ジエタノールアミド、ステアリン酸ジエタノールアミド、オレイン酸ジエタノールアミド、ヤシ油脂肪酸ジエタノールアミド、パーム核油脂肪酸ジエタノールアミド等が例示でき、中でもラウリン酸ジエタノールアミド、ヤシ油脂肪酸ジエタノールアミド、パーム核油脂肪酸ジエタノールアミドが推奨される。
【００５４】
成分（Ｄ）は、洗浄剤組成物中に０．１〜１０重量％配合され、より好ましくは０．１〜５重量％である。０．１重量％未満では成分（Ｄ）による増粘効果が認められず、１０重量％を超える場合には、組成物のぬるつき、泡立ちの低下等の悪影響が生じる。又、成分（Ａ）の溶解性を高める目的で使用する場合は成分（Ａ）／成分（Ｄ）の重量比が０．５〜２となるよう成分（Ｄ）を配合するのが好ましい。
【００５５】
本発明の洗浄剤組成物には、成分（Ａ）、成分（Ｂ）、及び適宜配合される成分（Ｃ）、成分（Ｄ）に加え、他の有効成分を配合することも可能である。即ち、多価アルコール、水溶性高分子、無機塩類、ｐＨ調整剤、動植物のエキス及びその誘導体、有機酸、色剤、防腐剤、キレート剤、紫外線吸収剤、シリコーン等のオイル成分、消泡剤、酵素、香料等を本発明の効果を損なわない範囲で適宜配合できる。又、本発明の洗浄剤組成物の成分（Ａ）、成分（Ｂ）、適宜配合される成分（Ｃ）、成分（Ｄ）、及び他の有効成分を配合した残部は、水で調製される。
【００５６】
本発明の洗浄剤組成物の製造方法としては、特に限定しないが、成分（Ｃ）及び／又は成分（Ｄ）の１種又は２種以上を配合する場合においては、所定量の成分（Ｂ）と水とを先ず混合均一化し、これに予め成分（Ａ）と成分（Ｃ）又は成分（Ｄ）より選ばれた１種以上とを予備混合したものを加える手順がより好ましい。又、成分（Ａ）と予備混合する成分には、成分（Ｃ）、成分（Ｄ）の他に、水を含有しない多価アルコール等の水溶性溶剤も使用できる。具体的には、プロピレングリコール、ポリエチレングリコール（分子量２００〜６０００）、エタノール等が例示される。予備混合することにより、しない場合と比べて均一溶解に要する時間を大幅に短くすることができ、洗浄剤組成物を容易に得ることができる。
【００５７】
かくして得られる洗浄剤組成物は、シャンプー、ボディシャンプー、衣料用液体洗剤、食器用洗浄剤、壁面洗浄用液体洗剤等の用途に使用できるが、これに限定されるものではない。
【００５８】
尚、本発明の成分（Ａ）、成分（ｂ−１）、成分（Ｃ）のオキシエチレン基部分にブロック、ランダムの如何を問わず、他のオキシアルキレン基を適宜導入した化合物も、各成分と類似の効果を有すると考えられ、本発明の効果を損なわない範囲で適宜配合できる。又、成分（Ａ）は洗浄剤以外の用途においても、例えば、リンス剤、整髪料等、界面活性剤を使用する化粧料の増粘剤としても使用できる。
【００５９】
【実施例】
以下に実施例及び比較例を挙げて本発明を具体的に説明する。但し、本発明はこれに限定されるものではない。尚、実施例中の試験法は次の如くして行った。
【００６０】
（Ｉ）粘度
ＢＬ型粘度計を用いて、２５℃での粘度を測定した。
【００６１】
（ＩＩ）低温安定性
試料を−５℃の恒温槽中で７２時間静置し、外観を観察した。外観が透明均一のものを○、白濁しているものを×とした。
【００６２】
（ＩＩＩ）起泡性
ロス・マイルス法により、２５℃、０．１％、イオン交換水を用いて起泡力を測定した。
【００６３】
（ＩＶ）粘度保持率
４０℃の恒温槽中で１カ月静置した試料の粘度を測定し、調製直後の粘度を１００（％）とした時の値（％）を示した。
【００６４】
実施例１〜１９
表−１に示した洗浄剤組成物を調製し、粘度を測定した。得られた結果を同じく表−１に示す。
【００６５】
0003924971.tif 000004
【００６６】
比較例１〜２０
表−２に示した洗浄剤組成物を調製し、粘度を測定した。得られた結果を同じく表−２に示す。
【００６７】
0003924971.tif 000005
【００６８】
実施例２０〜２６、比較例２１〜２４
表−３に示した硬質表面洗浄用の洗浄剤組成物を調製し、粘度及び低温安定性を測定した。得られた結果を同じく表−３に示す。
【００６９】
0003924971.tif 000006
【００７０】
実施例２７〜２８、比較例２５〜３２
表−４に示した台所用やシャンプー用等として汎用的なベース組成の洗浄剤組成物を調製し、粘度及び低温安定性を測定した。得られた結果を同じく表−４に示す。
【００７１】
実施例２９
ポリオキシエチレン（平均付加モル数＝６０）ステアリル−セチルジエーテル０．３３重量部とヤシ油脂肪酸ジエタノールアミド０．６６重量部とを予備混合し、これをポリオキシエチレン（平均付加モル数＝３）ラウリルエーテル硫酸ナトリウム１６．０重量部、ヤシ油脂肪酸アミドプロピルベタイン４．０重量部及び水７９．０重量部からなる界面活性剤水溶液に加え、６０℃において加熱撹拌して台所用やシャンプー用等として汎用的なベース組成の洗浄剤組成物を調製した。均一化に３分要した。この調製物の粘度及び低温安定性を測定した。得られた結果を表−４に示す。
【００７２】
実施例３０
ポリオキシエチレン（平均付加モル数＝６０）ステアリル−セチルジエーテル０．３３重量部とポリオキシエチレン（平均付加モル数＝１．５）ラウリルエーテル０．６６重量部とを予備混合し、これをポリオキシエチレン（平均付加モル数＝３）ラウリルエーテル硫酸ナトリウム１６．０重量部、ヤシ油脂肪酸アミドプロピルベタイン４．０重量部及び水７９．０重量部からなる界面活性剤水溶液に加え、６０℃において加熱撹拌して台所用やシャンプー用等として汎用的なベース組成の洗浄剤組成物を調製した。均一化に５分要した。この調製物の粘度及び低温安定性を測定した。得られた結果を表−４に示す。
【００７３】
参考例
ポリオキシエチレン（平均付加モル数＝３）ラウリルエーテル硫酸ナトリウム１６．０重量部、ヤシ油脂肪酸アミドプロピルベタイン４．０重量部、水７９．０重量部からなる界面活性剤水溶液に、ポリオキシエチレン（平均付加モル数＝６０）ステアリル−セチルジエーテル０．３３重量部及びポリオキシエチレン（平均付加モル数＝１．５）ラウリルエーテル０．６６重量部を順次加え、６０℃にて加熱撹拌して実施例３０と同一組成の洗浄剤組成物を調製した。均一化に１０時間要した。
【００７４】
実施例３１〜３３
表−４に示した台所用やシャンプー用等として汎用的なベース組成の洗浄剤組成物を実施例３０と同様の手順で調製し、粘度及び低温安定性を測定した。得られた結果を同じく表−４に示す。
【００７５】
0003924971.tif 000007
【００７６】
実施例３４〜３６、比較例３３〜３７
表−５に示したアミノ酸系シャンプー組成物を調製し、粘度、起泡力、低温安定性を測定した。得られた結果を同じく表−５に示す。
【００７７】
0003924971.tif 000008
【００７８】
実施例３７〜４６、比較例３８〜４６
表−６に示した低刺激性洗浄剤組成物を調製し、粘度、低温安定性を測定した。得られた結果を同じく表−６に示す。
【００７９】
0003924971.tif 000009
【００８０】
実施例４７〜５３、比較例４６〜５３
表−７に示したボディーシャンプー組成物を調製し、粘度、低温安定性、粘度の経時安定性を測定した。得られた結果を同じく表−７に示す。
【００８１】
0003924971.tif 000010
【００８２】
【発明の効果】
本発明により、特定のアルキル鎖長及びエチレンオキシド付加モル数を有するポリエーテル型増粘剤を添加することで、ココイル−Ｌ−グルタミン酸モノトリエタノールアミンのような従来より難増粘性とされていた界面活性剤を使用した場合でも、容易に粘稠な洗浄剤組成物を得ることが可能となった。又、増粘が容易な界面活性剤に対しては、少量の添加で希望する粘度が得られることから、界面活性剤含有量を低減した洗浄剤組成物を得ることができる。